(57)【要約】【課題】電気エネルギーを高効率及び廉価に生成し、提供することが可能な新規な発電方法、及びこの発電方法を利用した新規な構成の電池を提供する。【解決手段】絶縁部材を介して複数の金属部材を積層し、金属積層体を形成する。次いで、前記金属積層体にエネルギー線を照射し、前記金属積層体の、前記複数の金属部材と前記放射線との相互作用を通じて電気エネルギーを生成し、前記電気エネルギーを前記金属積層体から取り出す。前記複数の金属部材は、少なくとも２種以上の、原子番号の異なる金属材料から構成する。【選択図】図１
2005083756.tif 000002
【特許請求の範囲】
【請求項１】
絶縁部材を介して複数の金属部材を積層し、金属積層体を形成する工程と、
前記金属積層体にエネルギー線を照射し、前記金属積層体の、前記複数の金属部材と前記放射線との相互作用を通じて電気エネルギーを生成する工程と、
前記電気エネルギーを前記金属積層体から取り出す工程とを具え、
前記複数の金属部材は、少なくとも２種以上の、原子番号の異なる金属材料から構成することを特徴とする、発電方法。
【請求項２】
前記複数の金属部材は、少なくとも２種以上の、原子番号が５以上異なる金属材料から構成することを特徴とする、請求項１に記載の発電方法。
【請求項３】
前記複数の金属部材は、少なくとも２種以上の、原子番号が１０以上異なる金属材料から構成することを特徴とする、請求項２に記載の発電方法。
【請求項４】
互いに異なる金属材料から構成される前記金属部材同士を交互に積層することを特徴とする、請求項１〜３のいずれか一に記載の発電方法。
【請求項５】
前記金属部材の厚さを制御することによって、前記電気エネルギーの生成効率を調節することを特徴とする、請求項１〜４のいずれか一に記載の発電方法。
【請求項６】
前記金属部材の厚さを５ｍｍ以下とすることを特徴とする、請求項５に記載の発電方法。
【請求項７】
原子番号の小さい金属材料から構成された前記金属部材の厚さを、原子番号の大きい金属材料から構成された前記金属部材の厚さより小さくすることを特徴とする、請求項６に記載の発電方法。
【請求項８】
前記複数の金属部材の配置数を制御することによって、前記電気エネルギーの生成効率を調節することを特徴とする、請求項１〜７のいずれか一に記載の発電方法。
【請求項９】
前記複数の金属部材の配置間隔を制御することによって、前記電気エネルギーの生成効率を調節することを特徴とする、請求項１〜８のいずれか一に記載の発電方法。
【請求項１０】
前記絶縁部材の厚さを０．０１ｍｍ〜１ｍｍとすることを特徴とする、請求項９に記載の発電方法。
【請求項１１】
前記複数の金属部材に対する前記エネルギー線の照射面積を制御することによって、前記電気エネルギーの生成効率を調節することを特徴とする、請求項１〜１０のいずれか一に記載の発電方法。
【請求項１２】
前記複数の金属部材はそれぞれ巻回状を呈し、前記金属積層体は巻回状を呈することを特徴とする、請求項１〜１１のいずれか一に記載の発電方法。
【請求項１３】
前記エネルギー線は、巻回状の前記金属積層体の側面に対して照射することを特徴とする、請求項１２に記載の発電方法。
【請求項１４】
前記複数の金属部材は板状を呈し、前記金属積層体は板状を呈することを特徴とする、請求項１〜１１のいずれか一に記載の発電方法。
【請求項１５】
前記エネルギー線は、前記金属積層体の、積層方向における一方の主面に対して照射することを特徴とする、請求項１４に記載の発電方法。
【請求項１６】
前記複数の金属部材の一部はアルミニウムから構成し、前記複数の金属部材の残部はステンレスから構成することを特徴とする、請求項１〜１５のいずれか一に記載の発電方法。
【請求項１７】
前記エネルギー線は放射線であることを特徴とする、請求項１〜１６のいずれか一に記載の発電方法。
【請求項１８】
前記放射線は放射性廃棄物から放射されたものであることを特徴とする、請求項１７に記載の発電方法。
【請求項１９】
少なくとも２種以上の、原子番号の異なる金属材料からなる複数の金属部材を、絶縁部材を介して積層して得た金属積層体と、
前記金属積層体に対してエネルギー線を照射し、前記金属積層体の、前記複数の金属部材と前記エネルギー線との相互作用を通じて電気エネルギーを生成させるためのエネルギー照射源と、
を具えることを特徴とする、電池。
【請求項２０】
前記複数の金属部材は、少なくとも２種以上の、原子番号が５以上異なる金属材料から構成されたことを特徴とする、請求項１９に記載の電池。
【請求項２１】
前記複数の金属部材は、少なくとも２種以上の、原子番号が１０以上異なる金属材料から構成されたことを特徴とする、請求項２０に記載の電池。
【請求項２２】
前記金属積層体は、互いに異なる金属材料から構成される前記金属部材同士が交互に積層されてなることを特徴とする、請求項１９〜２１のいずれか一に記載の電池。
【請求項２３】
前記金属部材の厚さが５ｍｍ以下であることを特徴とする、請求項１９〜２２のいずれか一に記載の電池。
【請求項２４】
前記金属積層体において、原子番号の小さい金属材料から構成された前記金属部材の厚さが、原子番号の大きい金属材料から構成された前記金属部材の厚さより小さいことを特徴とする、請求項２３に記載の電池。
【請求項２５】
前記絶縁部材の厚さが０．０１ｍｍ〜１ｍｍであることを特徴とする、請求項１９〜２４のいずれか一に記載の電池。
【請求項２６】
前記複数の金属部材はそれぞれ巻回状を呈し、前記金属積層体は巻回状を呈することを特徴とする、請求項１９〜２５のいずれか一に記載の電池。
【請求項２７】
前記複数の金属部材は板状を呈し、前記金属積層体は板状を呈することを特徴とする、請求項１９〜２５のいずれか一に記載の電池。
【請求項２８】
前記複数の金属部材の一部はアルミニウムから構成し、前記複数の金属部材の残部はステンレスから構成したことを特徴とする、請求項１９〜２７のいずれか一に記載の電池。
【請求項２９】
前記エネルギー照射源は放射線源であることを特徴とする、請求項１９〜２８のいずれか一に記載の電池。
【請求項３０】
前記放射線源は放射性廃棄物を含むことを特徴とする、請求項２９に記載の電池。
【発明の詳細な説明】
【技術分野】
【０００１】
本発明は、発電方法及び電池に関する。
【背景技術】
【０００２】
太陽電池は、光エネルギーを電気エネルギーに変換しうる新たな電気エネルギー生成手段として注目を浴びている。しかしながら、太陽電池に使用される材料のほとんどはＳｉ、ＣｄＳ及びＧａＡｓなどの半導体材料に限られてしまうため、エネルギー変換効率もこれら半導体材料の純度や製造工程（薄膜化や膜同士の接合など）によって大きく変わるため、電池としての性能制御が極めて難しいという問題があった。さらに、エネルギー変換効率も未だ十分なものは得られておらず、十分な量の電力を生成するためには極めて大きな光エネルギー吸収面積を必要とする。この結果、太陽電池のコストは必然的に高くなってしまうという問題があった。
【０００３】
さらに、太陽電池として使用する場合、エネルギー源となる太陽光の強度が時間帯（昼夜）や天候によって大きく変化し、十分な電力を安定して供給することが困難であるという問題もあった。
【発明の開示】
【発明が解決しようとする課題】
【０００４】
本発明は、電気エネルギーを高効率及び廉価に生成し、提供することが可能な新規な発電方法、及びこの発電方法を利用した新規な構成の電池を提供することを目的とする。
【課題を解決するための手段】
【０００５】
上記目的を達成すべく、本発明は、
絶縁部材を介して複数の金属部材を積層し、金属積層体を形成する工程と、
前記金属積層体にエネルギー線を照射し、前記金属積層体の、前記複数の金属部材と前記放射線との相互作用を通じて電気エネルギーを生成する工程と、
前記電気エネルギーを前記金属積層体から取り出す工程とを具え、
前記複数の金属部材は、少なくとも２種以上の、原子番号の異なる金属材料から構成することを特徴とする、発電方法に関する。
【０００６】
また、本発明は、
少なくとも２種以上の、原子番号の異なる金属材料からなる複数の金属部材を、絶縁部材を介して積層して得た金属積層体と、
前記金属積層体に対してエネルギー線を照射し、前記金属積層体の、前記複数の金属部材と前記エネルギー線との相互作用を通じて電気エネルギーを生成させるためのエネルギー照射源と、
を具えることを特徴とする、電池に関する。
【０００７】
現在及び将来のエネルギー及び環境問題を考慮すると、ＣＯ２、ＮＯＸ及びＳＯＸなどの有害物質を生成することのない、発電システムの開発が嘱望されている。また、コストや上述した太陽電池に関する問題点などを考慮すると、放射性廃棄物からの放射線、あるいは宇宙空間に存在する各種放射線を利用することが極めて有効である。したがって、本発明者らは、このような観点から新規な発電方法及びこの発電方法を利用した電池を開発すべく、鋭意検討を実施した結果、上述したような発電方法及び電池を開発するに至ったものである。
【０００８】
本発明の発電方法及び電池においては、例えば放射線などから構成されるエネルギー線を、複数の金属部材が絶縁部材を介して積層されてなる金属積層体に照射すると、前記金属積層体における前記複数の金属部材のそれぞれと前記エネルギー線との間に相互作用（コンプトン散乱など）が生じ、各金属部材内で２次電子を生成するようになる。この２次電子は一部が前記金属部材外に放出されるため、前記金属部材内部は電子が欠損した状態になる。したがって、前記金属部材を所定の電気回路中に組み込むことによって、前記電子欠損に起因した起電力を電気エネルギーとして生成できるようになる。
【０００９】
また、本発明の発電方法及び電池においては、前記複数の金属部材を同一の金属材料から構成することなく、少なくとも２種以上の、原子番号の異なる金属材料から構成するようにしている。すなわち、前記複数の金属部材の一部と前記複数の金属部材と残部とを、互いに異なる金属材料から構成するようにしている。したがって、前記エネルギー線の、前記電気エネルギーへの変換効率、すなわち電気エネルギーの生成効率が増大して、前記電気エネルギーが増大するようになる。
【００１０】
前記複数の金属部材を原子番号が異なる２種以上の金属材料から構成することによって、前記電気エネルギーの生成効率が増大する原因については明らかではないが、前記複数の金属部材内において、前記金属材料の原子番号差に応じて２次電子数差が生じ、これによって前記複数の金属部材内に生じる電子欠損の割合が変化し、この電子欠損の変化を通じて比較的多量の電子（電流）が流れるようになるためと考えられる。
【００１１】
前記電気エネルギーの生成効率は、前記複数の金属部材の配置数や配置間隔などを制御することによって簡易に制御することができる。また、前記複数の金属部材に対する前記エネルギー線の照射面積を制御することによっても制御することができる。さらには、前記金属部材の厚さや、上述した要件を満足する限りにおいて前記複数の金属部材の材料種類などを制御することによっても簡易に制御することができる。
【００１２】
したがって、本発明によれば、所望する電気エネルギーを簡易に得ることができるようになる。また、例えば放射性廃棄物を用い、前記エネルギー線を前記放射性廃棄物から放射される放射線などから構成することにより、長寿命でメンテナンスフリーの発電方法及び電池を提供することができる。
【００１３】
なお、本発明の好ましい態様においては、互いに異なる金属材料から構成される前記金属部材同士を交互に積層する。これによって、上述した、前記エネルギー線の、前記電気エネルギーへの変換効率が増大する。これは、前記金属積層体の全体で、各金属部材から放出される２次電子量と、各金属部材で生成される２次電子量とが前記電気エネルギーの生成効率を最大限に増大させるような最適な状態に調節されるためと考えられる。
【００１４】
また、本発明の他の好ましい態様においては、前記金属部材の厚さを５ｍｍ以下とする。そして、この場合においては、原子番号の小さい金属材料から構成された前記金属部材の厚さを、原子番号の大きい金属材料から構成された前記金属部材の厚さよりも小さくする。このような好ましい態様によれば、前記エネルギー線の、前記電気エネルギーへの変換効率が増大する。この場合も、前記金属積層体の全体で、各金属部材から放出される２次電子数と、各金属部材で生成される２次電子数とが前記電気エネルギーの生成効率を最大限に増大させるような最適な状態に調節されるためと考えられる。
【発明の効果】
【００１５】
以上説明したように、本発明によれば、電気エネルギーを高効率及び廉価に生成し、提供することが可能な新規な発電方法、及びこの発電方法を利用した新規な構成の電池を提供することができる。
【発明を実施するための最良の形態】
【００１６】
以下、本発明を発明の実施の形態に基づいて詳細に説明する。
図１は、本発明の電池の一例を示す構成図である。図１に示す電池においては、帯状の第１の金属部材１１及び第２の金属部材１２を、同じく帯状の絶縁部材１３を介して積層した後、巻回することによって形成した金属積層体１０を含む。なお、図１においては、巻回した際に、下層に位置する第１の金属部材１１と上層に位置する第２の金属部材１２とが接触するのを防止すべく、第２の金属部材１２上に同じく絶縁部材１３を配置している。
【００１７】
第１の金属部材１１及び第２の金属部材１２は、互いに原子番号の異なる金属材料から構成する。これらの金属部材を構成する金属材料においては、その原子番号の差が大きいほど好ましく、具体的には５以上さらには１０以上異なることが好ましい。特には、２０以上さらには３０以上異なることが好ましい。
【００１８】
金属積層体１０を電池として機能させるには、図示しないエネルギー照射源から、図中矢印で示すように、金属積層体１０の側面にエネルギー線を照射させる。このとき、金属積層体１０における金属部材１１及び１２と前記エネルギー線との間に相互作用（コンプトン散乱など）が生じ、各金属部材内で２次電子を生成するようになる。この２次電子は一部が金属部材１１及び１２外に放出されるため、金属部材１１及び１２は電子が欠損した状態になる。したがって、金属部材１１及び１２を含む金属積層体１０を所定の電気回路中に組み込むことによって、前記電子欠損に起因した起電力を電気エネルギーとして生成できるようになる。
【００１９】
なお、前記エネルギー線としては、放射線、特に放射性廃棄物からの放射線を利用することができる。これによって、半永久的に前記エネルギー線を供給できることから、長寿命でメンテナンスフリーとすることもできる。但し、α線、β線、γ線及びＸ線などの通常の放射線をも利用することができ、この場合は、前記エネルギー照射源として相当の放射線源を用いる。
【００２０】
また、前記エネルギー線として、放射線以外のエネルギー線を用いることもできる。例えば、電子線や所定の電磁波、レーザ光などを用いることもできる。
【００２１】
金属積層体１０を含む電池における電気エネルギーの生成効率は、上述したように、金属部材１１及び１２の配置数や配置間隔などを制御することによって簡易に制御することができる。また、金属部材１１及び１２に対する前記エネルギー線の照射面積を制御することによっても制御することができる。さらには、金属部材１１及び１２の厚さや、上述した要件を満足する限りにおいて金属部材１１及び１２の材料種類などを制御することによっても簡易に制御することができる。
【００２２】
特に、金属部材１１及び１２の厚さ制御の観点からは、これら金属部材の厚さを５ｍｍ以下とすることが好ましい。これによって、金属積層体１０を含む電池における電気エネルギー生成効率をさらに増大させることができる。これは、前記エネルギー線との相互作用によって、金属部材１１及び１２内で生成した２次電子が効率良くこれら金属部材外部に放出されるためであると考えられる。
【００２３】
また、金属部材１１及び１２の厚さは０．０１ｍｍ以上であることが好ましい。これら金属部材の厚さが０．０１ｍｍより小さくなると、前記２次電子の生成量が減少し、逆に前記電気エネルギーの生成効率を減少させてしまう場合がある。
【００２４】
また、金属部材１１及び１２の厚さを５ｍｍ以下とした場合においては、原子番号の小さい金属材料から構成される第１の金属部材１１又は第２の金属部材１２の厚さを、原子番号の大きな金属材料から構成される第２の金属部材１２又は第１の金属部材１１の厚さよりも小さくすることが好ましい。すなわち、原子番号の小さい金属材料から構成された金属部材の厚さを、原子番号の大きな金属材料から構成された他方の金属部材の厚さよりも小さくする。これによって、前記電気エネルギーの生成効率を一層増大させることができる。
【００２５】
これは、金属積層体１０全体で、各金属部材から放出される２次電子量と、各金属部材で生成される２次電子量とが前記電気エネルギーの生成効率を最大限に増大させるような最適な状態に調節されるためと考えられる。
【００２６】
また、金属部材１１及び１２の配置間隔の制御の観点からは、絶縁部材１３の厚さを０．０１ｍｍ〜１ｍｍとする。１ｍｍより大きいと金属部材１１及び１２から放出された２次電子の吸収が大きくなって、電気エネルギーの生成効率が減少し、０．０１ｍｍより小さいと金属部材１１及び１２間の電気的絶縁が不十分となり、これらを原子番号の異なる金属材料から構成するという、本発明の本質的な特徴による、電気エネルギーの生成効率の増大という本来的な作用効果が減じられてしまう場合がある。
【００２７】
なお、図１に示す金属積層体１０において、その巻回数は必要に応じて任意に設定することができる。
【００２８】
図２は、本発明の電池の一例を示す構成図である。図２に示す電池は、板状の第１の金属部材２１及び第２の金属部材２２が、同じく板状の絶縁部材２３を介して交互に複数積層されて形成された属積層体２０を含む。第１の金属部材２１及び第２の金属部材２２は、互いに原子番号の異なる金属材料から構成する。これらの金属部材を構成する金属材料においては、その原子番号の差が大きいほど好ましく、具体的には５以上さらには１０以上異なることが好ましい。特には、２０以上さらには３０以上異なることが好ましい。
【００２９】
また、金属積層体２０において、互いに原子番号の異なる金属材料から構成される第１の金属部材２１及び第２の金属部材２２を交互に積層させているので、前記電気エネルギーの生成効率を増大させることができるようになる。これは、金属積層体２０全体で、各金属部材から放出される２次電子量と、各金属部材で生成される２次電子量とが前記電気エネルギーの生成効率を最大限に増大させるような最適な状態に調節されるためと考えられる。
【００３０】
金属積層体２０を電池として機能させるには、図示しないエネルギー照射源から、図中矢印で示すように、金属積層体２０の一方の主面にエネルギー線を照射させる。このとき、金属積層体２０における金属部材２１及び２２と前記エネルギー線との間に相互作用（コンプトン散乱など）が生じ、金属部材２１及び２２を含む金属積層体２０を所定の電気回路中に組み込むことによって、金属部材２１及び２２の電子欠損に起因した起電力を電気エネルギーとして生成できるようになる。
【００３１】
この場合においても、前記エネルギー線としては、放射線、特に放射性廃棄物からの放射線を利用することができる。これによって、半永久的に前記エネルギー線を供給できることから、長寿命でメンテナンスフリーとすることもできる。但し、α線、β線、γ線及びＸ線などの通常の放射線をも利用することができ、この場合は、前記エネルギー照射源として相当の放射線源を用いる。
【００３２】
また、前記エネルギー線として、放射線以外のエネルギー線を用いることもできる。例えば、電子線や所定の電磁波、レーザ光などを用いることもできる。
【００３３】
金属積層体２０を含む電池における電気エネルギーの生成効率は、上述したように、金属部材２１及び２２の配置数や配置間隔などを制御することによって簡易に制御することができる。また、金属部材２１及び２２に対する前記エネルギー線の照射面積を制御することによっても制御することができる。さらには、金属部材２１及び２２の厚さや、上述した要件を満足する限りにおいて金属部材２１及び２２の材料種類などを制御することによっても簡易に制御することができる。
【００３４】
特に、金属部材２１及び２２の厚さ制御の観点からは、これら金属部材の厚さを５ｍｍ以下とすることが好ましい。これによって、金属積層体２０を含む電池における電気エネルギー生成効率をさらに増大させることができる。これは、前記エネルギー線との相互作用によって、金属部材２１及び２２内で生成した２次電子が効率良くこれら金属部材外部に放出されるためであると考えられる。
【００３５】
また、金属部材２１及び２２の厚さは０．０１ｍｍ以上であることが好ましい。これら金属部材の厚さが０．０１ｍｍより小さくなると、前記２次電子の生成量が減少し、逆に前記電気エネルギーの生成効率を減少させてしまう場合がある。
【００３６】
また、金属部材２１及び２２の厚さを５ｍｍ以下とした場合においては、原子番号の小さい金属材料から構成される第１の金属部材２１又は第２の金属部材２２の厚さを、原子番号の大きな金属材料から構成される第２の金属部材２２又は第１の金属部材２１の厚さよりも小さくすることが好ましい。すなわち、原子番号の小さい金属材料から構成された金属部材の厚さを、原子番号の大きな金属材料から構成された他方の金属部材の厚さよりも小さくする。これによって、前記電気エネルギーの生成効率を一層増大させることができる。
【００３７】
これは、金属積層体２０全体で、各金属部材から放出される２次電子量と、各金属部材で生成される２次電子量とが前記電気エネルギーの生成効率を最大限に増大させるような最適な状態に調節されるためと考えられる。
【００３８】
また、金属部材２１及び２２の配置間隔の制御の観点からは、絶縁部材２３の厚さを０．０１ｍｍ〜１ｍｍとする。１ｍｍより大きいと金属部材２１及び２２から放出された２次電子の吸収が大きくなって、電気エネルギーの生成効率が減少し、０．０１ｍｍより小さいと金属部材２１及び２２間の電気的絶縁が不十分となり、これらを原子番号の異なる金属材料から構成するという、本発明の本質的な特徴による、電気エネルギーの生成効率の増大という本来的な作用効果が減じられてしまう場合がある。
【００３９】
なお、図２に示す金属積層体２０において、その積層数は必要に応じて任意に設定することができる。
【実施例１】
【００４０】
巾１０ｃｍ、厚さ０．１ｍｍの帯状ＳＵＳ３０４部材と、巾１０ｃｍ、厚さ０．０１ｍｍの帯状Ａｌ部材とを、厚さ０．２ｍｍの上質紙を介して積層し、巻回することによって図１に示すような金属積層体を形成した。なお、巻回数は３３とした。その後、γ線（約１．４５Ｇｙ／ｓｅｃ）を前記金属積層体の側面に照射した。負荷抵抗値が１０ｋΩ以下において、０．５８３μＡの定電流が生成した。
【比較例１】
【００４１】
巾１０ｃｍ、厚さ０．１ｍｍ及び０．０１ｍｍの、２個の帯状ＳＵＳ３０４部材を準備し、厚さ０．２ｍｍの上質紙を介して積層し、巻回することによって図１に示すような金属積層体を形成した。なお、巻回数は３３とした。その後、γ線（約１．４５Ｇｙ／ｓｅｃ）を前記金属積層体の側面に照射した。負荷抵抗値が１０ｋΩ以下において、０．０３４μＡの定電流が生成した。
【実施例２】
【００４２】
巾５ｃｍ、高さ１０ｃｍ、厚さ０．０１ｍｍの板状のＳＵＳ３０４部材と、巾５ｃｍ、高さ１０ｃｍ、厚さ０．０１ｍｍの板状のＡｌ部材とを、厚さ０．２ｍｍの上質紙を介してそれぞれ６層づつ積層（金属部材の合計積層数：１２）し、図２に示すような金属積層体を形成した。その後、γ線（約１．４５Ｇｙ／ｓｅｃ）を前記金属積層体の、厚さ方向における一方の主面側から照射した。負荷抵抗値が１０ｋΩ以下において、０．０６５μＡの定電流が生成した。
【実施例３】
【００４３】
ＳＵＳ３０４部材の厚さを０．２ｍｍとした以外は、実施例２と同様にして金属積層体を形成（金属部材の合計積層数：１２）し、この金属積層体に対して厚さ方向における一方の主面側からγ線（約１．４５Ｇｙ／ｓｅｃ）を照射した。負荷抵抗値が１０ｋΩ以下において、０．０９７μＡの定電流が生成した。
【実施例４】
【００４４】
ＳＵＳ３０４部材及びＡｌ部材それぞれの積層数を１４層とした以外は、実施例３と同様にして金属積層体を形成（金属部材の合計積層数：２８）し、この金属積層体に対して厚さ方向における一方の主面側からγ線（約１．４５Ｇｙ／ｓｅｃ）を照射した。負荷抵抗値が１０ｋΩ以下において、０．１６２μＡの定電流が生成した。
【比較例２】
【００４５】
巾５ｃｍ、高さ１０ｃｍ、厚さ０．１ｍｍ及び０．０１ｍｍの、６対（１２個）の板状のＳＵＳ３０４部材を準備し、厚さ０．２ｍｍの上質紙を介して積層し、図２に示すような金属積層体を形成した（金属部材の合計積層数：１２）。その後、その後、γ線（約１．４５Ｇｙ／ｓｅｃ）を前記金属積層体の、厚さ方向における一方の主面側から照射した。負荷抵抗値が１０ｋΩ以下において、０．０２８μＡの定電流が生成した。
【００４６】
以上、実施例１及び比較例１、並びに実施例２−４及び比較例２とを対比すると、金属積層体と同一のＳＵＳ３０４部材から構成した場合に比較して、異なるＳＵＳ３０４部材とＡｌ部材とから構成した場合において、生成される電流量が増大し、電気エネルギーの生成効率が増大していることが確認された。
【００４７】
また、実施例２及び３との比較から、原子番号の小さいＡｌ部材の厚さを原子番号の大きいＳＵＳ３０４部材の厚さよりも小さくすることによって、生成される電流量が増大し、電気エネルギーの生成効率が増大していることが確認された。さらに、実施例３及び実施例４との比較から、金属部材の積層数が１０〜３０層程度では、積層数の増大に伴って生成される電流量、すなわち電気エネルギーの生成効率が増大していることが確認された。
【００４８】
以上、具体例を挙げながら発明の実施の形態に基づいて本発明を詳細に説明してきたが、本発明は上記内容に限定されるものではなく、本発明の範疇を逸脱しない限りにおいてあらゆる変形や変更が可能である。
【００４９】
例えば、上記具体例においては、金属部材２１及び２２を交互に積層させているが、必ずしも交互に積層させる必要はなく、同一の金属部材を２〜３層程度積層して、互いに異なる金属部材からなる複数の積層体を構成し、これらの積層体を交互に積層させることによっても本発明の電池及び発電方法を実現することができる。
【００５０】
さらに、上記具体例においては、互いに異なる２種類の金属部材を用いているが、３種類以上の金属部材から構成することもできる。
【産業上の利用分野】
【００５１】
本発明は、電力会社をはじめとするエネルギー産業分野や、宇宙開発産業分野などにおいて利用することができる。また、核燃料廃棄物などの放射性廃棄物処理を行う原子力分野においても利用することができる。
【図面の簡単な説明】
【００５２】
【図１】本発明の電池の一例を示す構成図である。
【図２】本発明の電池の他の例を示す構成図である。
【符号の説明】
【００５３】
１０、２０  金属積層体
１１、２１  第１の金属部材
１２、２２  第２の金属部材
１３、２３  絶縁部材
【図１】
2005083756.tif 000003
【図２】
2005083756.tif 000004